(57)【要約】      （修正有）【課題】従来の方法よりも、安価、簡便であり、再現性が良い、生薬の薬効評価方法、生薬のロット間の薬効評価方法を提供し、該薬効を評価するための評価試料の調製方法を提供する。【解決手段】血糖降下作用を有する生薬のロット間の薬効評価方法であって、（ａ）上記生薬を熱水抽出後、得られた熱水抽出画分をエタノール沈殿させる工程を含む方法によって、上記生薬の薬効評価をするための抽出画分を得る工程、（ｂ）カイコに糖（Ａ）を摂取させることによって、該カイコの脂肪体中又は体液中の糖（Ｂ）の濃度を上昇させる工程、（ｃ）上記工程（ｂ）で得られた脂肪体中又は体液中の糖（Ｂ）の濃度が上昇したカイコに、上記工程（ａ）で得られた生薬の抽出画分を投与する工程、（ｄ）上記生薬の抽出画分が投与されたカイコの脂肪体中又は体液中の糖（Ｂ）の濃度を測定する工程、を含む。【選択図】図２
2015224950.tif 000002
【特許請求の範囲】
【請求項１】
血糖降下作用を有する生薬のロット間の薬効評価方法であって、
（ａ）上記生薬を熱水抽出後、得られた熱水抽出画分をエタノール沈殿させる工程を含む方法によって、上記生薬の薬効評価をするための抽出画分を得る工程、
（ｂ）カイコに糖（Ａ）を摂取させることによって、該カイコの脂肪体中又は体液中の糖（Ｂ）の濃度を上昇させる工程、
（ｃ）上記工程（ｂ）で得られた脂肪体中又は体液中の糖（Ｂ）の濃度が上昇したカイコに、上記工程（ａ）で得られた生薬の抽出画分を投与する工程、
（ｄ）上記生薬の抽出画分が投与されたカイコの脂肪体中又は体液中の糖（Ｂ）の濃度を測定する工程、
を有することを特徴とする薬効評価方法。
【請求項２】
上記血糖降下作用を有する生薬にはポリガラクトースが含まれる請求項１に記載の薬効評価方法。
【請求項３】
上記血糖降下作用を有する生薬はジオウである請求項１又は請求項２に記載の薬効評価方法。
【請求項４】
血糖降下作用を有する生薬の品質管理方法であって、請求項１ないし請求項３の何れかの請求項に記載の薬効評価方法を用いることを特徴とする品質管理方法。
【請求項５】
血糖降下作用を有する生薬の製造方法であって、請求項４に記載の品質管理方法を用いて品質管理を行う工程を含むことを特徴とする製造方法。
【発明の詳細な説明】
【技術分野】
【０００１】
本発明は、血糖降下作用を有する生薬の薬効評価方法、該薬効評価方法を用いた品質管理方法、及び製造方法に関するものである。
【背景技術】
【０００２】
これまでに本発明者らは、無脊椎動物であるカイコの病態モデルを構築し、医薬品の治療効果、及び毒性を評価できることを提唱している（特許文献１、非特許文献１・２）。また、本発明者らは、カイコ感染モデルを用いて、細菌、真菌感染治療薬、及び抗ウイルス薬の評価を行えること、及び抗生物質の体内動態において哺乳動物とカイコで共通した面があることを報告している（特許文献２、非特許文献３）。
【０００３】
無脊椎動物であるカイコは、容易に多数の個体を用いて治療薬の評価を行うことができる。また、カイコは、哺乳動物より安価で、狭いスペースで大量の個体を飼育することが可能である。発明者らは、細菌の病原性研究のためにカイコ感染モデルを開発し、大規模なスクリーニングを行い、黄色ブドウ球菌の病原性遺伝子の同定に成功した。また、黄色ブドウ球菌の病原性遺伝子の機能解析においてもカイコ感染モデルが有用であった（非特許文献４・５）。カイコ感染モデルで多数の個体を用いた大規模なスクリーニングや細菌の病原性遺伝子の機能解析ができたのもカイコの利点を生かしたｉｎ  ｖｉｖｏ評価が行えたことによる。
【０００４】
更に、カイコは、線虫やショウジョウバエのような小型無脊椎動物では困難な、注射器を用いた定量的な薬物の体液内注射が容易に実施できる。また、比較的大量の体液を採取し、生化学的な解析をすることが可能である。これらの利点を生かし、発明者らは、カイコを高血糖にする条件を見出し、インスリン等の血糖降下薬の治療効果が評価できること、血糖降下活性があり、糖尿病患者に処方されている生薬の１つであるジオウの粗抽出画分の投与により、高血糖カイコの血糖値が低下すること、及び、高血糖カイコを用いて、ジオウの血糖降下活性における有効成分がガラクトースを多く含む多糖であるポリガラクトースであることを示した（特許文献３、非特許文献６）。
【０００５】
生薬は、経験的に薬効を有すると判定された天然物から有効成分を精製することなく体質の改善等を目的として用いられ、疾患に対応して選択され、治療や予防のために用いられる。生薬は、アジアだけでなく、ヨーロッパ、アメリカ等でも民間薬（ｆｏｌｋ  ｍｅｄｉｃｉｎｅ）として広く利用されている。生薬の薬効は、産地、収穫時期、収穫後の加工調整法、保存状態等により異なる場合が多い。これは、生薬に含まれる有効成分の種類、含量（比）等がサンプル（ロット）間で異なることが原因である。
【０００６】
生薬の品質管理においては、Liquid  chromatography  mass  spectrometry（ＬＣ−ＭＳ）、fingerprint、quantitative  analysis  of  multi-components  by  single-marker（ＱＡＭＳ）、thin  layer  chromatography  bio-autographic  assay（ＴＬＣ−ＢＡＡ）、DNA  molecular  marker  technique等の方法が用いられている。これらの実験法は、生薬に含まれている二次代謝産物の解析により生薬に含まれる有効成分の種類や含量を明らかにすることを目的としている。
しかし、ほとんどの生薬の有効成分は未同定であり、定量法で生薬の薬効を保証するような品質管理を行うことが困難な場合が多く、そこで薬効を指標とした新たな生薬の品質管理技術の確立が望まれている。
【０００７】
また、マウス、ラット等の哺乳動物を用いて、各種生薬のロットの治療活性を検定することが試みられているが、コスト、時間、動物愛護等の点で問題がある。
【０００８】
更に、生薬の品質管理のための、生薬の有効成分の調製が複雑であり、かつ時間がかかることが問題である。例えば、ジオウの有効成分の調製は、５段階での作業が必要であり、有効成分の評価サンプルを調製するまでに約５日間を要していた。よって、より簡便な生薬の調整方法の確立も望まれている。
【先行技術文献】
【特許文献】
【０００９】
【特許文献１】特開２００９−０４７５５２号公報
【特許文献２】特開２０１０−１３３９７５号公報
【特許文献３】国際公開第２０１０／００４９１６号
【非特許文献】
【００１０】
【非特許文献１】Inagaki  Y，Matsumoto  Y，Kataoka  K，Matsuhashi  N，Sekimizu  K．Evaluation  of  drug-induced  tissue  injury  by  measuring  alanine  aminotransferase（ALT）activity  in  silkworm  hemolymph．BMC  Pharmacol  Toxicol．8;13(1):13（2012）
【非特許文献２】Hamamoto  H，Tonoike  A，Narushima  K，Horie  R，Sekimizu  K．Sikworm  as  a  model  animal  to  evaluate  drug  candidate  toxity  and  metabolism．Comp  Biochem  Physiol  C．149(3):334-9.（2009）
【非特許文献３】Matsumoto  Y，Miyazaki  S，Fukunaga  DH，Shimizu  K，Kawamoto  S，Sekimizu  K．Quantitative  evaluation  of  cryptococcal  pathogenesis  and  antifungal  drugs  using  a  silkworm  infection  model  with  Cryptococcus  neoformans．J  Appl  Microbiol．112(1):138-46（2012）
【非特許文献４】Ikuo  M，Kaito  C，Sekimizu  K．The  cvfC  operon  of  Staphylococcus  aureus  contributes  to  virulence  via  expression  of  the  thyA  gene．Microb  Pathog．49(1-2):1-7（2010）
【非特許文献５】Miyazaki  S，Matsumoto  Y，Sekimizu  K，Kaito  C．Evaluation  of  Staphylococcus  aureus  virulence  factors  using  a  silkworm  model．FEMS  Microbiol  Lett．326(2):116-24（2012）
【非特許文献６】Matsumoto  Y，Sumiya  E，Sugita  T，Sekimizu  K．An  Invertebrate  Hyperglycemic  Model  for  the  Identification  of  Anti-Diabetic  Drugs.  PLoS  ONE，6(3)，2011
【非特許文献７】Gao  H.，Wang，Z.，Li，Y.，and  Qian，Z．Overview  of  the  quality  standard  research  of  traditional  Chinese  medicine，Front  Med，2，195-202．(2011)
【発明の概要】
【発明が解決しようとする課題】
【００１１】
本発明は、上記背景技術に鑑みてなされたものであり、その課題は、血糖降下作用を有する生薬のロット間の薬効評価方法を提供することにある。特に、従来の方法よりも安価・簡便、再現性が良い「薬効を評価するための血糖降下作用を有する生薬の抽出画分」の調製方法を用いた薬効評価方法を提供することである。
また、該生薬のロット間の薬効評価方法を用いた、生薬の品質管理方法を提供することである。更には、該生薬の品質管理方法を用いて品質管理を行う工程を含む、生薬の製造方法を提供することである。
【課題を解決するための手段】
【００１２】
本発明者は、上記の課題を解決すべく鋭意検討を重ねた結果、血糖降下作用を有する生薬であるジオウの抽出画分を高血糖カイコに投与した結果、サンプル（ロット）間で血糖降下活性が異なることから、高血糖カイコを用いて生薬の薬効を評価することができることを見出した。
【００１３】
また、従来の抽出方法よりも作業工程が減り、所要時間が短縮された、薬効評価のための、血糖降下作用を有する生薬の抽出画分の調製方法を見出して本発明に至った。
【００１４】
すなわち、本発明は、血糖降下作用を有する生薬のロット間の薬効評価方法であって、
（ａ）上記生薬を熱水抽出後、得られた熱水抽出画分をエタノール沈殿させる工程を含む方法によって、上記生薬の薬効評価をするための抽出画分を得る工程、
（ｂ）カイコに糖（Ａ）を摂取させることによって、該カイコの脂肪体中又は体液中の糖（Ｂ）の濃度を上昇させる工程、
（ｃ）上記工程（ｂ）で得られた脂肪体中又は体液中の糖（Ｂ）の濃度が上昇したカイコに、上記工程（ａ）で得られた生薬の抽出画分を投与する工程、
（ｄ）上記生薬の抽出画分が投与されたカイコの脂肪体中又は体液中の糖（Ｂ）の濃度を測定する工程、
を有することを特徴とする薬効評価方法を提供するものである。
【００１５】
また、本発明は、血糖降下作用を有する生薬の品質管理方法であって、上記薬効評価方法を用いることを特徴とする品質管理方法を提供するものである。
【００１６】
また、本発明は、血糖降下作用を有する生薬の製造方法であって、上記品質管理方法を用いて品質管理を行う工程を含むことを特徴とする製造方法を提供するものである。
【発明の効果】
【００１７】
本発明は、前記問題点と課題を解決できたものである。
本発明の評価方法により、従来困難であった定量法により生薬のサンプル（ロット）間の薬効を評価することができる。また、本発明の薬効評価方法で用いる「薬効を評価するための抽出画分の抽出方法」は、従来の抽出方法に比べて、作業が簡便であり、抽出時間の短縮が可能となった。よって、本発明は、実験の再現性やプロトコールの標準化、及び技術の汎用性を高める効果を有する。
【００１８】
また、本発明の薬効評価方法を用いた生薬の品質管理方法、及び該品質管理方法を用いて品質管理を行う工程を含む生薬の製造方法は、従来方法と比較して、安価、簡便、再現性が良いという効果を有する。
【００１９】
生薬の品質管理において、マウス、ラット等の哺乳動物を用いた薬効評価も考えられるが、マウス、ラット等の哺乳動物は高価であり、汎用的な評価系にはできない。また、生薬の薬効を評価するにあたり、哺乳動物を用いた評価方法は時間を要する。また、多くのサンプルのロットチェックが必要であることから、大量の個数を用いる必要があり、動物愛護の観点からも問題がある。
一方、カイコは、安価であり、特別な飼育スペースを必要とせず、倫理的な問題も少ない。従って、多くのサンプルのロットチェックが必要な品質管理のためのｉｎ  ｖｉｖｏ評価モデルとして有用である。
【図面の簡単な説明】
【００２０】
【図１】高血糖カイコを用いた、血糖降下作用を有する生薬であるジオウの薬効評価のためのプロトコールを示す図である。（左）ジオウの薬効評価をするための画分の抽出方法を示した図である。（右）高血糖カイコによる血糖値の測定方法を示した図である。
【図２】各ロットのジオウサンプルを投与した高血糖カイコの血糖値を示すグラフである。左から、高血糖カイコに、「生理食塩水（０．９％ＮａＣｌ）を投与」、「Ｒｅｈｍａｎｎｉａｅ  ｒａｄｉｘ  ｅｘｔｒａｃｔ  １（ウチダ和漢薬［Lot．SU312910］）を投与」、「Ｒｅｈｍａｎｎｉａｅ  ｒａｄｉｘ  ｅｘｔｒａｃｔ  ２（ＮＩＢ−０１５５）を投与」、「Ｒｅｈｍａｎｎｉａｅ  ｒａｄｉｘ  ｅｘｔｒａｃｔ  ３（ＮＩＢ−００２１）を投与」、「Ｒｅｈｍａｎｎｉａｅ  ｒａｄｉｘ  ｅｘｔｒａｃｔ  ４（ＮＩＢ−００４５）を投与」、「Ｒｅｈｍａｎｎｉａｅ  ｒａｄｉｘ  ｅｘｔｒａｃｔ  ５（ＮＩＢ−００７１）を投与」、「Ｒｅｈｍａｎｎｉａｅ  ｒａｄｉｘ  ｅｘｔｒａｃｔ  ６（ＮＩＢ−０１２６）を投与」、「ヒトインスリン（３．５ｍｇ／ｍＬ）を投与」である。Ｓｔｕｄｅｎｔ  ｔ  ｔｅｓｔを用いて有意差検定を行い、エラーバーは、標準偏差（ＳＥＭ）を示す。
【発明を実施するための形態】
【００２１】
以下、本発明について説明するが、本発明は、以下の具体的態様に限定されるものではなく、技術的思想の範囲内で任意に変形することができる。
【００２２】
［高血糖カイコを用いた血糖降下作用を有する生薬のロット間の薬効評価方法］
本発明の薬効評価方法は、血糖降下作用を有する生薬のロット間の薬効評価方法であって、
（ａ）上記生薬を熱水抽出後、得られた熱水抽出画分をエタノール沈殿させる工程を含む方法によって、上記生薬の薬効評価をするための抽出画分を得る工程、
（ｂ）カイコに糖（Ａ）を摂取させることによって、該カイコの脂肪体中又は体液中の糖（Ｂ）の濃度を上昇させる工程、
（ｃ）上記工程（ｂ）で得られた脂肪体中又は体液中の糖（Ｂ）の濃度が上昇したカイコに、上記工程（ａ）で得られた生薬の抽出画分を投与する工程、
（ｄ）上記生薬の抽出画分が投与されたカイコの脂肪体中又は体液中の糖（Ｂ）の濃度を測定する工程、
を有することを特徴とする薬効評価方法である。
【００２３】
上記薬効評価方法は、必要に応じて、更にその他の工程を含んでいてもよい。以下、工程（ａ）、（ｂ）、（ｃ）、（ｄ）について順に説明する。
【００２４】
＜工程（ａ）＞
工程（ａ）においては、まず、血糖降下作用を有する生薬について、熱水抽出後、得られた熱水抽出画分をエタノール沈殿させることによって、上記生薬の薬効評価をするための画分を抽出する。
【００２５】
本発明で用いる血糖降下作用を有する生薬とは、血糖降下作用を有すれば特に限定されない。具体的には、例えば、オウギ、オウセイ、オウレン、カッコン、カロコン、カンゾウ、ケンゴシ、ゴミシ、サンシュユ、ジオウ、シャクヤク、ソウハクヒ、ダイオウ、トチュウ、ニンジン、バクモンドウ、ビャクジュツ、ブクリュウ等が挙げられ、ポリガラクトース又はポリガラクトース誘導体を含有する生薬が好ましく、中でもジオウが特に好ましい。
【００２６】
「ポリガラクトース」とは、ガラクトース又はガラクトース誘導体を構造単位として多く含む多糖又はオリゴ糖のことをいう。
ここで、「ガラクトース又はガラクトース誘導体」とは、Ｄ−ガラクトース及びその誘導体のことをいう。また、α型とβ型とを含む。すなわち、Ｄ−ガラクトースの場合、［α］Ｄ２０＝＋１４４°のα型と、［α］Ｄ２０＝＋５２°のβ型とを含む。
また、分枝構造を有していても有していなくてもよい。
【００２７】
「該ポリガラクトースを構造単位として構成する単糖」は、特に限定されないが、通常はグリコシド結合で結合されている。該単糖には、ピラノース型もフラノース型も含まれる。
該単糖の総数（結合数）には限定はないが、下限は、好ましくは２個以上、より好ましくは１０個以上、特に好ましくは１００個以上、更に好ましくは１０００個以上である。また、上限は、好ましくは、１００００以下、特に好ましくは、１０００以下である。
該ポリガラクトース中に含まれるガラクトース又はガラクトース誘導体の数の「ポリガラクトースを構成する単糖の数全体」に対する割合については、限定はないが、ポリガラクトースを構成する単糖の数を１００個としたとき、好ましくは１０〜９０個、より好ましくは、２０〜８０個、特に好ましくは３０〜７０個である。
【００２８】
ガラクトース誘導体とは、例えば、ガラクトースの環に置換基が結合したものが挙げられる。該置換基としては、例えば、メチル基、エチル基、プロピル基等のアルキル基；ビニル基等のアルケニル基；フェニル基等のアリール基；ベンジル基等のアリールアルキル基；アセチル基（エタノイル基）等のアルカノイル基が挙げられる。
また、ガラクトース誘導体として、ガラクトースの抱水体、アルデヒド体、Ｏ−メチル化体、Ｏ−硫酸化体、それらの薬理学的に許容される塩；カルボン酸、リン酸、スルホン酸等の酸が水酸基にエステル結合したもの、それらの薬理学的に許容される塩；ガラクトースの代謝中間体であるＵＤＰ（ウリジン二リン酸）ガラクトース、ガラクツロン酸等が挙げられる。
【００２９】
ポリガラクトースを構成する単糖としては、上記のガラクトース又はガラクトース誘導体の他に、好ましいものとして、例えば、グルコース、マンノース、ソルボース、フルクトース、タガトース、プシコース、タロース、ラムノース等の六炭糖；リボース、アラビノース、キシロース、リキソース等の五炭糖；又はこれらの誘導体等の単糖が挙げられる。
【００３０】
実施例では、血糖降下作用を有するジオウを用いて、本発明により、生薬のロット間の薬効評価を行うことができることを見出したが、熱水抽出法を用いるので、熱に強い血糖降下作用を有する生薬であれば、当然該生薬のロット間の薬効評価をすることができると考えられる。よって、本発明における「血糖降下作用を有する生薬」は、ジオウに限定されない。
【００３１】
同じ生薬間においても、産地、収穫時期、収穫後の加工調整法、保存状態等により、生薬に含まれる有効成分の種類、含量（比）に違いが生じ、薬効が異なる場合が多い。
生薬は、産地、収穫時期、収穫後の加工調整法、梱包形態、保存状態、外観等の相違によりロットで管理されている。例えば、独立行政法人医薬基盤研究所薬用植物資源研究センターが提供する「薬用植物総合情報データベース」（http://mpdb.nibio.go.jp/）で、医薬基盤研究所で保管されている生薬（モデル生薬）のロット番号（管理番号：ＮＩＢ−○○○○（４桁の数字））を確認することができる。
【００３２】
血糖降下作用を有する生薬（以下、単に「生薬」と略記する場合がある）に含まれる薬効評価のための成分を原料から抽出され易い等の点で、抽出溶媒が水であることが特に好ましい。また、水に水溶性有機溶媒を一定量含有させてもよい。更に、水には、塩化ナトリウム、塩化カリウム等の水溶性塩類；水酸化ナトリウム、水酸化カリウム、炭酸ナトリウム、炭酸カリウム、塩酸、硫酸、リン酸、有機酸、等のｐＨ調節剤若しくはｐＨ緩衝剤；界面活性剤等を溶解させてもよい。
【００３３】
上記薬効評価のための成分は、熱水により抽出されることが、抽出効率を上げるために好ましい。かかる抽出温度が重要であることは、実施例（ジオウ）により確認されたので、該条件は血糖降下作用を有する生薬の原料全体に適用され得る。本発明における「熱水」とは、６０℃以上の水のことである。７０〜１７０℃で抽出することが好ましく、８０〜１４０℃で抽出することがより好ましく、９０〜１１０℃で抽出することが特に好ましい。
【００３４】
熱水による抽出時間は、上記薬効評価のための成分が抽出されれば特に限定はなく、熱水処理装置、熱水の量、原料の形状等によって適宜調節すればよい。熱水抽出後、有効成分以外の成分を、除去することが好ましい。
【００３５】
上記により得られた熱水抽出画分をエタノール沈殿させることが、上記生薬の薬効を安価に評価できる、再現性良く評価することができる等の点で特に好ましい。また、熱水抽出画分に含まれるグルコース等の単糖を容易に分画して除くことができる。エタノールの濃度は、抽出効率を上げるために、沈殿に用いる液全体を１００質量部とすると、６５〜１００質量部が好ましく、７０〜９９質量部が更に好ましく、７５〜９８質量部が特に好ましい。
【００３６】
＜工程（ｂ）＞
工程（ｂ）においては、カイコに糖（Ａ）を摂取させることによって、該カイコの脂肪体中又は体液中の糖（Ｂ）濃度を上昇させる。
【００３７】
更に、かかる幼虫としては、以下の点から、カイコが特に好ましい。
（１）入手が容易である。
（２）飼育する方法が既に確立されており、更に飼育に利便性がある。
（３）ヒト等の哺乳類の内臓・器官と類似する性質が、これまでの研究である程度分かっている。
（４）遺伝系統が確立されており、遺伝的均一性の維持ができている。
（５）比較的大型で、動きが緩慢であり、実質上無毛なので、定量的に注射できる等、薬物の投与が容易である。
（６）脂肪体を有しており、脂肪体を取り出して、含有する物質の定量が可能である。
（７）マウス、ラット等に比べると安価で、狭いスペースで多数の個体を飼育でき、倫理的な問題も少ない為、スクリーニング的な評価を行うことが容易である。
（８）被検物質が少量しかない場合でも評価を行うことができる。
（９）齢を揃える等、同じ状態の個体を揃えることが容易である。
（１０）体液を採取して、糖、脂質、酵素等の成分を解析することが可能である。
【００３８】
哺乳動物を用いた実験は、国際原則である３Ｒ、すなわちReplacement（代替法の開発）、Reduction（動物数の削減）、Refinement（動物の苦痛の削減）に従って実験を行わなければならない(Russell  et  al.，The  principles  of  humane  experimental  technique．London：Methuen．238p．1959)。カイコを代替動物として利用することは、３Ｒの中のRelative  Replacementの考えと合致する。カイコを用いた評価系は、医薬品の開発や品質管理において倫理的な観点から問題となる哺乳動物を用いた動物実験の制限下で有用な代替実験系となり得る。
【００３９】
上記カイコは、糖（Ａ）の摂取させやすさ、生薬の抽出画分の投与のしやすさ、体液や脂肪体の採取のしやすさ等の観点から、大型であることが好ましい。ここで「大型のカイコ」とは、体長が１ｃｍ以上である幼虫であり、好ましくは、１．５ｃｍ以上１５ｃｍ以下であり、特に好ましくは、２ｃｍ以上５ｃｍ以下である。また、上記点から、４齢〜５齢の幼虫が好ましく、５齢の幼虫が特に好ましい。
【００４０】
糖（Ａ）の摂取の方法としては特に制限はなく、目的に応じて適宜選択することができる。具体的には、例えば、体液中への注射、飼料（餌）への添加等による経口摂取、腸内への注入等が挙げられ、簡便である点、ヒトの臨床との対応という点等で、腸管内部への注射；飼料（餌）への添加等による経口摂取；等が好ましい。
【００４１】
カイコ等の無脊椎動物では、血液とリンパ液と細胞間液ははっきりと区別がなく、双方の役割を有するものとして、体液は血リンパ（ｈｅｍｏｌｙｍｐｈ）とも呼ばれる。また、脊椎動物は閉鎖血管系を有するのに対し、節足動物及び多くの軟体動物は、開放血管系（毛細血管がなく、動脈や静脈がつながっていない血管系）を有する。
【００４２】
上記糖（Ａ）としては、そのカイコの脂肪体中又は体液中の糖（Ｂ）の濃度を上昇させるものであれば特に限定はないが、例えば、グルコース、ヘプトース、ヘキソース、ペントース、テトロース、トリオース等の単糖類；トレハロース、マルトース、ラクトース、スクロース、セロビオース、ニゲロース、ソホロース等の２糖類；フルクトオリゴ糖、ガラクトオリゴ糖、乳果オリゴ糖等のオリゴ糖；デンプン、グリコーゲン、セルロース、ペクチン、グルコマンナン等の多糖類；デオキシ糖；ウロン酸等の糖の酸化生成物；ソルビット、アラビット等の糖アルコール等が、糖（Ｂ）の濃度を上昇させる可能性があるものとして挙げられる。
このうち、グルコース、スクロース、オリゴ糖、グリコーゲン又はでんぷんが、カイコの体液中のグルコース濃度及び／又はトレハロース濃度を上昇させる点、ヒト臨床との対応の点等から特に好ましい。これらは１種を用いてもよいし、２種以上を混合して用いてもよい。
【００４３】
カイコに対する糖（Ａ）の摂取量は、カイコの脂肪体中又は体液中の糖（Ｂ）を薬効評価に充分なだけ上昇させ得れば特に限定はないが、飼料（餌）と糖（Ａ）の合計量に対して、糖（Ａ）を１質量部〜２０質量部が好ましく、５質量部〜１８質量部がより好ましく、８質量部〜２０質量部が特に好ましい。
また、カイコの脂肪体中又は体液中の糖（Ｂ）を薬効評価に充分なだけ上昇させる糖（Ａ）の摂取時間は、特に限定はないが、１分間〜１０日間が好ましく、５分間〜１日間がより好ましく、３０分間〜２時間が特に好ましい。
糖（Ａ）の摂取速度は、上記摂取量の好ましい範囲を、上記摂取時間の好ましい範囲で割った値範囲が好ましい。
【００４４】
工程（ｂ）においては、該カイコの脂肪体中又は体液中の糖（Ｂ）濃度を上昇させることが必須である。カイコの脂肪体中若しくは体液中の何れかの糖（Ｂ）の濃度を上昇させる又は上昇したことを確認することが好ましく、カイコの脂肪体中及び体液中の糖（Ｂ）の合計濃度を上昇させる又は上昇したことを確認することがより好ましく、体液中の糖（Ｂ）の濃度を上昇させる又は上昇したことを確認することが特に好ましい。
カイコに、はさみで傷を付けそこから液を取り出し、該液中の糖（Ｂ）の濃度を測定することが好ましい。
【００４５】
糖（Ｂ）としては、糖（Ａ）の摂取によって脂肪体中又は体液中の濃度が上昇し、生薬の抽出画分が投与されたときに、その濃度の低下が測定できるものであれば特に限定はないが、例えば、グルコース、トレハロース等が挙げられる。糖（Ｂ）は１種でもよいし、２種以上の合計濃度でもよい。糖（Ｂ）の定量方法によっては複数種類の糖の合計量が定量される場合があるが、その場合、糖（Ｂ）は１種に限定されない。
【００４６】
糖（Ａ）と糖（Ｂ）は、同一の場合も異なる場合もある。例えば、カイコの場合、糖（Ａ）としてスクロースを投与すると直ちにカイコの体液中のグルコース濃度とトレハロース濃度が上昇する。この場合の糖（Ｂ）はグルコースとトレハロースである。
【００４７】
糖（Ｂ）の定量方法に限定はないが、全ての糖類の定量としては、フェノール硫酸法、アンスロン硫酸法、カルバゾール硫酸法等が挙げられ；グルコースの定量にはグルコースオキシダーゼ法等が挙げられる。
【００４８】
工程（ｂ）で得られた「脂肪体中又は体液中の糖（Ｂ）の濃度が上昇したカイコ」における「糖（Ｂ）の濃度の上昇の程度」は、生薬の薬効の評価ができる程度に大きければ特に限定はないが、糖（Ａ）を摂取させない通常のものに比較して、１．５倍〜１００倍が好ましく、１．５倍〜８倍がより好ましく、１．５倍〜３倍が特に好ましい。
「糖（Ｂ）の濃度の上昇の程度」が低すぎる場合は、生薬の薬効の評価が確認できない場合がある。一方、上限については、上記範囲より高くできなかったり、また、必要性がなかったりする場合がある。また、必要以上に高くしようとすると、血糖値上昇以外の個体の障害が生じ、著しい場合には個体が死亡してしまう場合がある。
【００４９】
具体的には、体液中の糖（Ｂ）の濃度を、７ｍｇ／ｍＬ（μｇ／μＬ）〜２００ｍｇ／ｍＬ（μｇ／μＬ）にすることが好ましく、８ｍｇ／ｍＬ〜１５０ｍｇ／ｍＬにすることがより好ましく、１０ｍｇ／ｍＬ〜１００ｍｇ／ｍＬにすることが特に好ましい。また、脂肪体中のグルコース濃度を、１０ｎｇ／μｇ〜１００００００ｎｇ／μｇにすることが好ましく、１００ｎｇ／μｇ〜１０００００ｎｇ／μｇにすることがより好ましく、１０００ｎｇ／μｇ〜２００００ｎｇ／μｇにすることが特に好ましい。
濃度の測定方法と表現方法は実施例の方法による。
【００５０】
糖（Ａ）を摂取させてから、脂肪体中又は体液中の糖（Ｂ）の濃度の上昇を確認するまでの時間は、特に限定はないが、１分間〜１日が好ましく、１０分間〜１５時間がより好ましく、３０分〜１０時間が特に好ましい。
【００５１】
カイコは血糖値の恒常性を維持する機構を有しており、筋肉及びヒトの肝臓に相当する脂肪体に糖を貯蔵でき、また、インスリン様ペプチドホルモンであるボンビキシンを有しており、ボンビキシンの下流には、ヒトの場合と同様のＭＡＰＫシグナル伝達経路を含むインスリンシグナル伝達経路が存在する。
また、組み換え型ヒトインスリンがＰＩ３キナーゼの活性化を介して、カイコの脂肪体の糖の取り込みを亢進させる作用を有する。すなわち、カイコにはヒトの血糖調節機構と同様な機構があると考えられる。
【００５２】
＜工程（ｃ）＞
工程（ｃ）においては、上記工程（ｂ）で得られた脂肪体中又は体液中の糖（Ｂ）の濃度が上昇したカイコに、上記工程（ａ）で得られた生薬の抽出画分を投与させる。
【００５３】
生薬の抽出画分を投与する方法としては、特に制限はなく目的に応じて適宜選択することができる。具体的には、例えば、体液中への注射；飼料（餌）への添加等による経口摂取、腸管内部への注射；等が挙げられる。簡便である点、ヒトとの対応という点で、腸管内部への注射又は経口摂取が好ましい。生薬の抽出画分の投与量としては特に制限はなく、投与方法等に応じて適宜選択することができる。また、生理食塩水、水等で希釈して投与させることも好ましい。
【００５４】
生薬の抽出画分の投与時期は特に限定はなく、工程（ａ）において糖（Ａ）を摂取させ終えた直後、該カイコの脂肪体中又は体液中の糖（Ｂ）の濃度がほぼ最大値に達した時点、体液中の糖（Ｂ）の濃度が正常値にまで回復してゆく時点等が挙げられるが、該カイコの脂肪体中又は体液中の糖（Ｂ）の濃度がほぼ最大値に達した時点が、実験結果の再現性を得るという点で好ましい。
具体的には、「糖（Ａ）を摂取させ終えた直後」から「糖（Ａ）を摂取させ終えてから２４時間経過後」の間が好ましく、「糖（Ａ）を摂取させ終えた直後」から「糖（Ａ）を摂取させ終えてから６時間経過後」までの間がより好ましく、「糖（Ａ）を摂取させ終えた直後」が特に好ましい。
【００５５】
＜工程（ｄ）＞
工程（ｄ）においては、上記生薬の抽出画分が投与されたカイコの脂肪体中又は体液中の糖（Ｂ）の濃度を測定する。測定試料の採取方法は、脂肪体に関しては、解剖して採取することが好ましく、体液に関しては、切り傷を付けてそこから採取する方法が好ましい。
【００５６】
糖（Ｂ）の種類、糖（Ｂ）の濃度及びグルコースの濃度の測定方法としては、工程（ｂ）の箇所で記載した方法と同様の方法が挙げられる。すなわち、糖（Ｂ）としては、糖（Ａ）の摂取によって脂肪体中又は体液中の濃度が上昇し、被検物質が投与されたときに、その濃度の低下が測定できるものであれば特に限定はないが、例えば、グルコース、トレハロース等が挙げられる。また、糖（Ｂ）は１種に限定されず、全ての糖（Ｂ）の合計量を測定してもよい。ただし、糖（Ｂ）には、ガラクトース（誘導体）もポリガラクトースも含まれない。
【００５７】
例えば、カイコの場合、糖（Ａ）の摂取によって、カイコの体液中のグルコース濃度とトレハロース濃度が上昇する場合が多いので、糖（Ｂ）としては、グルコース及び／又はトレハロースであることが好ましい。また、体液中に、工程（ｂ）で投与したガラクトース（誘導体）が検出される場合は、ガラクトース（誘導体）の量を除いた糖（Ｂ）のみの定量をすること、又は、糖（Ｂ）の中のグルコースのみの定量をすることが好ましい。
【００５８】
前記した通り、糖（Ｂ）の定量方法としては、全ての糖類の定量には、フェノール硫酸法、アンスロン硫酸法、カルバゾール硫酸法等が挙げられ；グルコースのみの定量方法としてはグルコースオキシダーゼ法等が挙げられる。
【００５９】
脂肪体中又は体液中の糖（Ｂ）の濃度の測定をする時期については特に限定はなく、工程（ｃ）において生薬の抽出画分が投与された直後から、生薬の抽出画分による糖（Ｂ）の濃度の減少の効果が見られなくなるまでの期間から選択すればよい。
具体的には、例えば、生薬の抽出画分が投与された時点から、１分〜１日が好ましく、３０分〜１０時間がより好ましく、６０分〜８時間が特に好ましい。
【００６０】
糖（Ｂ）の濃度の測定に際しては、生薬の抽出画分を投与していない、「同様に脂肪体中又は体液中の糖（Ｂ）の濃度を上昇させたカイコ」を陰性対照として用いることが好ましい。陰性対照には、例えば、生理食塩水を同量だけを投与することが好ましい。陰性対照に比較して、生薬の抽出画分を投与したもので、糖（Ｂ）の濃度がどれくらい減少していたかによって、その生薬の抽出画分の薬効を評価することが好ましい。
【００６１】
［高血糖カイコを用いた血糖降下作用を有する生薬の品質管理方法］
本発明の品質管理方法は、上記薬効評価方法を用いることを特徴とする、血糖降下作用を有する生薬の品質管理方法である。
【００６２】
本発明の品質管理方法は、必要に応じて上記薬効評価方法に加えて、別の方法を用いる、及び／又は他の工程を含んでいてもよい。
【００６３】
本発明の品質管理方法は、原料、原料から抽出した抽出物、最終製品等について、品質管理する際に用いることができる。
【００６４】
［高血糖カイコを用いた血糖降下作用を有する生薬の製造方法］
本発明の製造方法は、上記品質管理方法を用いて品質管理する工程を含むことを特徴とする製造方法である。
【００６５】
本発明の、製造方法によって製造される生薬の剤型については特に限定はないが、経口投与のための製剤としては、錠剤、丸剤、顆粒剤、カプセル剤、散剤、液剤、懸濁剤、シロップ剤、舌下剤等が挙げられ、また、非経口投与のための製剤としては、注射剤、経皮吸収剤、吸入剤、坐剤等が挙げられる。
【００６６】
製剤化に際しては、製薬上許容される担体を混合することが可能である。担体の種類及び組成は、投与経路や投与方法によって適宜決定することができる。例えば、液状担体としては、水、アルコール、食用油等を用いることができる。固体担体としては、リジン等のアミノ酸類、シクロデキストリン等の多糖類、ステアリン酸マグネシウム等の有機酸塩類、ヒドロキシルプロピルセルロース等のセルロース誘導体等を用いることができる。
【００６７】
更に、製剤化に際して、等張化剤、防腐剤、湿潤剤、乳化剤、分散剤、安定化剤、溶解補助剤、賦形剤、結合剤、崩壊剤、希釈剤、緩衝剤、着色剤、着香剤等の各種医薬用添加剤を配合することができる。注射剤の場合には適当な担体と共に滅菌処理を行なって薬剤とする。
【００６８】
［作用］
本発明において、簡単なプロトコールで血糖降下作用を有する生薬のロット間の薬効評価ができる作用・原理は明らかではなく、また、本発明は、かかる作用・原理の範囲に限定されるわけではないが、以下のことが考えられる。
従来、ロット（サンプル）間での薬効を評価するためには、複数段階の抽出工程が必要であったが、本発明は、熱水抽出後にエタノール沈殿するという２段階の工程により、「血糖降下作用を有する生薬の薬効評価をするための画分」を容易に得ることができることを見出した。
すなわち、血糖降下作用という薬効を評価するための、（ポリガラクトースを含む）好適抽出画分が、熱水抽出でき、かつ、エタノール沈殿により得られたと考えられる。
また、エタノール沈殿により、グルコース等の単糖を取り除くことができたため、容易に薬効評価をするために好適な画分を抽出できたと考えられる。
【実施例】
【００６９】
以下、実施例及び試験例に基づき本発明を更に詳細に説明するが、本発明は以下の実施例等の具体的範囲に限定されるものではない。
【００７０】
［評価例］
＜カイコの種類、飼育条件、注射条件＞
カイコの受精卵（交雑種Ｈｕ・Ｙｏ×Ｔｕｋｕｂａ・Ｎｅ）は愛媛養蚕株式会社から購入した。
孵化した幼虫は室温で人工飼料シルクメイト２Ｓ（日本農産工業株式会社製）を与えて５齢幼虫まで育てた。飼育容器は、卵から２齢幼虫までを角型２号シャーレ（栄研器材製）を用い、それ以降をディスポーザブルのプラスチック製フードパック（フードパックＦＤ大深、中央化学株式会社製）を用いた。飼育温度は２７℃とした。特に記載がない限り、実験には、４齢眠以後絶食させた５齢１日目の幼虫を用いた。
糖添加試料として、人工飼料シルクメイト２Ｓ（日本農産工業株式会社製）に、種々の重量比でＤ−グルコースを混合して調製した。
カイコの注射実験では、５齢幼虫の第５体節の模様がある体節に、０．０５ｍＬの試料を注射した。注射筒（１ｍＬ）と注射針（２７Ｇ×３／４）は、テルモ株式会社より購入したものを用いた。
【００７１】
＜血糖値の定量法＞
体液（２０μＬ）は、第一腹肢（first  proleg）にはさみでつけた切り傷から採取し、タンパク質を沈殿させるために９倍量の０．６Ｎ過塩素酸と混合した。３，０００ｒｐｍで１０分間遠心分離し、上清を体液抽出液（hemolymph  extract）とした。
カイコ体液中の総糖量はフェノール硫酸法（Hodge  et  al．）により定量した。蒸留水で適当な濃度に希釈した体液抽出液１００μＬと５％（ｗ／ｖ）フェノール水溶液１００μＬを混合し、濃硫酸５００μＬを加えて激しく撹拌し、室温で２０分間静置した後、４９０ｎｍにおける吸光度を測定した。グルコース水溶液を標準糖溶液とした。
【００７２】
＜新しいジオウ粗抽出画分の調製法＞
地黄（ウチダ和漢薬［Lot．SU312910］、NIB-0021、NIB-0045、NIB-0071、NIB-0126、NIB-0155）それぞれ５ｇに、MilliQ水を２０ｍＬとなるまで加えた。３０分間煮沸後、ろ紙（３ＭＭ）を用いて濾過し、ろ液のうち２ｍＬ分に対して、エタノールを３８ｍＬ加えて撹拌した。１５，０００ｒｐｍ（２０，４００Ｇ）で３分間遠心し、上清を捨て、沈殿画分をデシケーター（アズワン株式会社製）の中で一晩放置し、ジオウ粗抽出画分を得た。
【００７３】
＜試薬＞
組換え型ヒトインスリンは、Ｓｉｇｍａより購入し、０．１質量％の酢酸を含む生理食塩水（０．９質量％ＮａＣｌ）に溶解して用いた。
【００７４】
実施例１
［簡便なプロトコールにより抽出した血糖降下作用を有する生薬の薬効評価］
血糖降下作用を有するジオウの熱水抽出画分は、グルコース等の単糖を豊富に含むので、そのままカイコに投与するとカイコの血糖値はむしろ上昇する。これまでに、高血糖カイコを用いて、ジオウの粗抽出画分中の有効成分がポリガラクトースであることを見出している（非特許文献６）。しかし、従来のジオウの有効成分の調製は、５段階での作業が必要であり、サンプルを調製するまでに５日間を要する（非特許文献６、表１右）。そこで、ジオウの有効成分が熱に強いポリガラクトースであるということに注目し、迅速簡便なジオウ中の有効成分の調製法の確立を行った。
【００７５】
【表１】
2015224950.tif 000003
【００７６】
表１に、本発明で用いる抽出方法（左）と、従来の抽出方法（右）を示す。従来の抽出方法は、例えば、特許文献３、非特許文献６、木下  正他，薬学雑誌，１９９２年，Vol．112，No.6，p．393-400等に開示されている。
ポリガラクトースは、その化学的性状から、熱水抽出が可能であり、エタノール沈殿によりグルコース等の単糖を容易に分画可能であると予想される。そこで表１左に示すプロトコールを用いた。
【００７７】
前記６つのロットのジオウそれぞれ５ｇから熱水抽出画分を得た後、エタノール沈殿を含め計２ステップの作業工程で粗抽出画分０．２ｇを得た（図１左）。これを最終濃度が１ｍｇ／ｍＬとなるように生理食塩水で溶解し、薬効試験用の抽出画分とした。
この６つのロットのジオウの抽出画分について、前記方法で得た高血糖カイコに注射し、６時間後にカイコの体液を回収し、フェノール硫酸法により血糖値を測定した（図１右）。
【００７８】
比較例１
［従来のプロトコールにより抽出した血糖降下作用を有する生薬の薬効評価］
ウチダ和漢薬［Lot．SU312910］のジオウ２００ｇから上記表１右の従来の抽出方法により得られた抽出画分を、最終濃度が１ｍｇ／ｍＬとなるように生理食塩水で溶解し、薬効評価試験用の抽出画分とした。得られた抽出画分について、前記方法で得た高血糖カイコに注射し、６時間後にカイコの体液を回収し、フェノール硫酸法に血糖値を測定した（図１右）。
その結果、ウチダ和漢薬［Lot．SU312910］は、上記表１右の従来の抽出方法を用いて、高血糖カイコに対して、血糖降下活性があることが確認された。
【００７９】
実施例１の結果を、図２に示す。
比較例１の結果より、高血糖カイコに対して血糖降下活性のあることが既に分かっていたジオウのロットである、ウチダ和漢薬［Lot．SU312910］から、本発明における抽出方法（表１左欄）を用いて得られた抽出画分を投与した高血糖カイコの血糖値は、生理食塩水投与群と比べて統計学的に有意の差（ｐ＜０．０５）の低下を示した（図２中、Rehmanniae  radix  extract  １）。また、別のロット番号（NIB-0155及びNIB-0021）でも、高血糖カイコに投与した結果、有意に血糖値が低下することが確認された（図２中、Rehmanniae  radix  extract  ２〜３）。
一方、NIB-0045、NIB-0071、NIB-0126から得られた抽出画分を投与した高血糖カイコの血糖値は、生理食塩水投与群に比べて統計学的に有意の差の低下を示さなかった（ｐ＞０．０５）（図２中、Rehmanniae  radix  extract  ４〜６）。
【００８０】
以上の結果より、少ないスタートマテリアルで、短時間で、簡便なジオウの粗抽出画分を得る実験スキームを確立した。また、この抽出方法で得られたジオウのロット間の活性の違いを、高血糖カイコを用いた血糖降下アッセイで評価できることを示した。以上の結果は、高血糖カイコを用いてジオウ等の血糖降下作用を有する生薬の薬効を評価できると考えられる。
【００８１】
生薬の品質管理では、安価でかつ簡便であり、再現性がよいことが重要である。本発明の実施例により、新しい粗抽出画分の調製法により、以前の方法の約４０分の１の量である５ｇのジオウを用いて高血糖カイコの血糖降下活性を有するサンプルが得られた。この方法でジオウの有効成分であるポリガラクトースが濃縮されたと考えられる。また、上記有効成分（薬効評価をするための画分）を得る作業過程も５ステップから２ステップに、所要時間も５日から１日に短縮された（表１）。作業が簡便になることは、実験の再現性やプロトコールの標準化、技術の汎用性を高めると考えられる。
【００８２】
カイコを用いる方法は、生薬の薬効評価だけでなく、混入する毒性物質の有無を判定する上でも有用だと考えられる。発明者らは、これまでに、様々な毒性化合物や細菌毒素の投与によりカイコは死亡することを見出し、個体に対する毒性の指標であるＬＤ５０値がカイコと哺乳動物でよく一致していることを報告している（Hossain  et  al.，2006；特許文献１、非特許文献２）。更に、カイコが死亡しない投与量でも、組織障害性マーカーであるＡＬＴのカイコ体液中の活性をモニタリングすることで評価することができる（非特許文献１)。この結果は、カイコが生薬中の毒性物質の評価に利用できることを示唆している。
【００８３】
本発明により、血糖降下作用を有する生薬の薬効評価のための簡便なプロトコールを作成し、高血糖カイコを用いて、ジオウのロット間の薬効の違いを評価することができた。
このことから、カイコが薬効を指標とした生薬の品質管理のバイオモニターとして有用であることが分かった。そして、カイコを用いて生薬の薬効の評価ができることを提案し、カイコを用いたｉｎ  ｖｉｖｏでの評価技術が、生薬の品質管理に利用できると考えられる。
【産業上の利用可能性】
【００８４】
本発明の生薬の薬効を評価する方法を利用して、前記した生薬の品質管理方法が可能であるため、生薬及び生薬を含有する生薬製剤の製造管理や品質管理等に広く利用されるものである。
【図１】
2015224950.tif 000004
【図２】
2015224950.tif 000005